(57)【要約】【課題】  データフレーム交換以降、常に最良の状態で通信することが可能な無線送受信システムを提供する。【解決手段】  ノイズ発生源のある据え付け型電子機器１００と移動端末２００とがデータの送受信を行う無線送受信システムにおいて、データフレーム交換を可能にするまでの、据え付け型電子機器１００と移動端末２００間で行われる一連のデータフレーム以外のフレーム交換に際し、据え付け型電子機器１００を実動作状態に近い状態であるビジーでの動作モードで動作させ、移動端末２００との間の電波強度及び媒体の混雑具合を測定し、据え付け型電子機器１００と移動端末２００間の各種通信パラメータを設定する。【選択図】        図１
2006020056.tif 000002
【特許請求の範囲】
【請求項１】
ノイズ発生源のある据え付け型電子機器と移動端末とがデータの送受信を行う無線送受信システムにおいて、データフレーム交換を可能にするまでの、前記据え付け型電子機器と移動端末間で行われる一連のデータフレーム以外のフレーム交換に際し、前記据え付け型電子機器を実動作状態に近い状態であるビジーでの動作モードで動作させ、前記移動端末との間の電波強度及び媒体の混雑具合を測定し、前記据え付け型電子機器と移動端末間の各種通信パラメータを設定することを特徴とする無線送受信システム。
【請求項２】
一連のデータフレーム送受信以前のフレーム交換に際し、前記据え付け型電子機器が待機状態であるビジーにも移動端末との間の電波強度及び媒体の混雑具合を測定し、フレーム交換可能であると判断された場合は、前記据え付け型電子機器の動作状況がアイドルかビジーかで据え付け型電子機器と移動端末間の通信方法を変更することを特徴とする請求項１に記載の無線送受信システム。
【請求項３】
通信パラメータがフラグメンテーションスレッショルドであることを特徴とする請求項１または請求項２に記載の無線送受信システム。
【請求項４】
通信パラメータがリクエストトゥーセンドスレッショルドであることを特徴とする請求項１または請求項２に記載の無線送受信システム。
【請求項５】
通信パラメータがフラグメンテーションスレッショルド及びリクエストトゥーセンドスレッショルドであることを特徴とする請求項１または請求項２に記載の無線送受信システム。
【発明の詳細な説明】
【技術分野】
【０００１】
本発明は、ノイズ発生源のある据え付け型電子機器と移動端末とがデータの送受信を行う無線送受信システムに関するものである。
【背景技術】
【０００２】
様々な分野における情報化の浸透に伴って、データ伝送の高速化及び端末装置を自由に持ち歩ける利便性に係わる要求が高まってきている。屋内、例えばオフィスや家庭の無線データ通信技術として、ＩＥＥＥ８０２．１１に代表される無線ローカルエリアネットワーク（ＷＬＡＮ）が実用化されている。特にＩＥＥＥ８０２．１１は、データ転送レート、セキュリティ関連の改良等が行われ、ＷＬＡＮ装置自体の低価格化とあいまって急速に普及している。
一方、スキャナ等の画像入力装置、あるいはプリンタ、ＦＡＸ等の印刷装置、あるいはそれら両方を持つ複合装置は一般的に据え付け型の電子機器である。端末装置の移動の自由度が上がっているにもかかわらず、これらの据え付け型電子機器を使用する場合、有線ＬＡＮに接続するのが一般的であった。最近になり、アクセスポイントが整備されつつあるが、主にインターネットへの接続を目的としており、据え付け型電子機器への接続はほとんど考慮されていない。
また、ＷＬＡＮ装置を有する据え付け型電子機器が徐々に市場に出始めている。通常、端末装置と据え付け型電子機器が１対１で接続されることはほとんど無く、多対１で接続されるのが普通である。端末装置の置かれる場所は一定でない。
図４において、符号１００は、ＷＬＡＮ装置１０１を有する据え付け型電子機器（この例ではプリンタ）、２００は端末装置（携帯端末）を示す。
例えば、特許文献１には、据え付け型電子機器としての無線基地局（アクセスポイント）と端末装置間での無線パケット転送方法が開示されている。この技術は、任意の端末装置宛てに送信されたパケットの自局における受信状況等に基づき、直接転送方法によるパケット転送が成功する可能性が高い無線端末のみを直接転送テーブルに登録し、この登録した無線端末のみは直接転送方法の適用対象とし、他の無線端末に対しては、他の無線基地局経由の中継転送方法を適用するものである。
パケット誤りの発生確率を低減させるためのフラグメント分割送信方法と、隠れ端末の問題を回避するためのＲＴＳ／ＣＴＳランダムアクセス方法について、従来技術としての説明がなされている。当該公報に示される無線基地局は、見通しが良い比較的高い場所、例えばフロアの天井、に設置されることが想定されている。また、ある決まった無線基地局と端末装置間での通信状態は経時変化が無いという前提で説明されている。
【特許文献１】特許第３００７０６９号
【発明の開示】
【発明が解決しようとする課題】
【０００３】
以上説明したように、据え付け型電子機器は部屋あるいはフロアの隅に置かれることが多く、あまり好ましくない電波状況の場所に設置されるという問題があった。また、据え付け型電子機器、例えばプリンタ、はモータ等の機構部品が多く、待機状態（アイドル）と動作状態（ビジー）でノイズレベルが大きく変化し、従って電波状況もまた大きく変化する。
上記従来技術において、無線基地局は、電波状況が良い場所に設置され、更に、無線基地局と端末装置間での通信状態は経時変化が無いという前提でなされており、従来の据え付け型電子機器で発生していた問題を回避する手段にはならない。
本発明は以上述べたような課題を解決するためになされたものであり、データフレーム交換以降、常に最良の状態で通信することが可能な無線送受信システムを提供することを目的とする。
【課題を解決するための手段】
【０００４】
上記目的を達成するために、請求項１記載の発明は、ノイズ発生源のある据え付け型電子機器と移動端末とがデータの送受信を行う無線送受信システムにおいて、データフレーム交換を可能にするまでの、前記据え付け型電子機器と移動端末間で行われる一連のデータフレーム以外のフレーム交換に際し、前記据え付け型電子機器を実動作状態に近い状態であるビジーでの動作モードで動作させ、前記移動端末との間の電波強度及び媒体の混雑具合を測定し、前記据え付け型電子機器と移動端末間の各種通信パラメータを設定することを特徴とする。
請求項２記載の発明は、一連のデータフレーム送受信以前のフレーム交換に際し、前記据え付け型電子機器が待機状態であるビジーにも移動端末との間の電波強度及び媒体の混雑具合を測定し、フレーム交換可能であると判断された場合は、前記据え付け型電子機器の動作状況がアイドルかビジーかで据え付け型電子機器と移動端末間の通信方法を変更することを特徴とする。
請求項３記載の発明は、通信パラメータがフラグメンテーションスレッショルドである請求項１または請求項２に記載の無線送受信システムを主要な特徴とする。
請求項４記載の発明は、通信パラメータがリクエストトゥーセンドスレッショルドである請求項１または請求項２に記載の無線送受信システムを主要な特徴とする。
請求項５記載の発明は、通信パラメータがフラグメンテーションスレッショルド及びリクエストトゥーセンドスレッショルドである請求項１または請求項２に記載の無線送受信システムを主要な特徴とする。
【発明の効果】
【０００５】
本発明の無線送受信システムでは、データフレーム交換を可能にするまでの、据え付け型電子機器と移動端末間で行われる一連のデータフレーム以外のフレーム交換に際し、据え付け型電子機器を実動作状態に近い状態であるビジーでの動作モードで動作させ、移動端末との間の電波強度及び媒体の混雑具合を測定し、据え付け型電子機器と移動端末間の各種通信パラメータを設定することで、所期の目的を達成することができる。
【発明を実施するための最良の形態】
【０００６】
以下、図面を参照して、本発明の実施形態を詳細に説明する。
図１は本発明の第１の実施形態に係る無線送受信システムにおけるデータ授受の説明図である。左に据え付け型電子機器１００の動作を、右側に端末装置２００の動作を示している。両者の中間に矢印でフレーム交換のようすを示している。番号順（図の上から下）にフレームの送受信が行われる。この図は据え付け型電子機器１００がアクセスポイントとして動作する（インフラストラクチャモード）場合である。
以下、順に説明する。据え付け型電子機器１００が起動（電源投入）されると、ビーコンフレームがある一定の間隔で送信される。端末装置２００の準備が整い通信が開始されると、まず走査（ＳＣＡＮ）が開始される。図１はいわゆるパッシブスキャンが実行されている場合を示しており、アクティブスキャンの場合はプローブリクエスト及びプローブレスポンスフレームが送受信される。まず端末装置２００は走査により現在どのような無線システムが使用できるか情報収集を行う。本実施形態ではビーコンフレーム１から３を受信する場合を示した。
次に４から６で結合（ＪＯＩＮ）を行い、据え付け型電子機器１００が管理するＢＳＳと結合する。次に、端末装置２００は７で認証（ＡＵＴＨ）のためのAuthenticationリクエストを据え付け型電子機器１００に送信する。このリクエストにより、据え付け型電子機器１００は端末装置２００の存在を知り、同時に端末装置２００の機能等の情報を得る。
この後、据え付け型電子機器１００は実動作に近い状態（ビジー状態、例えばプリンタなどでは実際に印刷はせず、ウォームアップ動作等で機構部分を動作させ、ノイズレベルを実動作状態に近い状態まで上げる状態）で動作を行い、８でAuthenticationレスポンスを端末装置２００に送信して認証を終了する。
この状態のまま、端末装置２００は９で連合（ＡＳＳＯＣ）のためのAssociationリクエストを据え付け型電子機器１００に送信し、１０でAssociationレスポンスを端末装置２００に送信して連合を終了する。この後、据え付け型電子機器１００はアイドル状態に戻る。据え付け型電子機器１００と端末装置２００は８、９及び１０のフレーム交換を行うことにより、ビジー状態での電波強度及び混雑具合を測定して各種通信パラメータを設定することができる。
【０００７】
図２は本発明の第２の実施形態に係る無線送受信システムにおけるデータ授受の説明図である。もう１つのＷＬＡＮの動作形態であるアドホックモードの場合について説明している。
この場合、据え付け型電子機器１００が起動（電源投入）されると、インフラストラクチャモードと同様にビーコンフレームがある一定の間隔で送信される。端末装置２００は走査（ＳＣＡＮ）により現在どのような無線システムが使用できるか情報収集を行う。本実施形態ではビーコンフレーム１から３を受信する場合を示した。
次に４から６で結合（ＪＯＩＮ）を行う。以上でアドホックモードが立ち上がる。この後、端末装置２００は７以降、ビーコンフレームがある一定の間隔で据え付け型電子機器１００及び端末装置１００の両方から送信される。これにより、据え付け型電子機器１００は端末装置２００の存在を知り、同時に端末装置２００の機能等の情報を得る。
この後、据え付け型電子機器１００は実動作に近い状態（ビジー状態、例えばプリンタなどでは実際に印刷はせず、ウォームアップ動作等で機構部分を動作させ、ノイズレベルを実動作状態に近い状態まで上げる状態）で動作を行い、８から１０でビーコンフレームのやりとりを行う。この後、据え付け型電子機器１００はアイドル状態に戻る。据え付け型電子機器１００と端末装置２００は８、９及び１０のフレーム交換を行うことにより、ビジー状態での電波強度及び混雑具合を測定して各種通信パラメータを設定することができる。
【０００８】
図３は本発明の第３の実施形態に係る無線送受信システムにおけるデータ授受の説明図である。アドホックモードで動作させる場合を示している。１０までのフレーム交換でアイドル状態及びビジー状態の両方の電波強度及び混雑具合を測定し、各種通信パラメータの設定が完了する。１１で端末装置２００から据え付け型電子機器１００にデータフレームが送信される。
このときは未だ据え付け型電子機器１００はアイドル状態にあるため、アイドル状態でのパラメータでデータフレームを送信する。この後、据え付け型電子機器１００がビジー状態に変化すると、それを１２で端末装置２００に通知する。端末装置２００は、据え付け型電子機器１００がビジー状態に変化したことを認識し、ビジー状態でのパラメータに切り替え、１３のデータフレームを送信する。
次に、据え付け型電子機器１００が再びアイドル状態に変化すると、それを１４で端末装置２００に通知する。端末装置２００は、据え付け型電子機器１００がアイドル状態に変化したことを認識し、アイドル状態でのパラメータに切り替え、１５のデータフレームを送信する。
このように、本発明によれば、データフレーム送信前に設定した、アイドル及びビジー状態の２通りのパラメータに適切に切り替えることが可能で、常に良好な電波状態でデータ送受信が可能となる。
【０００９】
（実施例１）
実施例１では、上記のパラメータとして、フラグメンテーションスレッショルドを変化させる、フラグメント分割送信方法を採用している。これにより、パケット誤りの発生確率を低減させることができる。
（実施例２）
実例例２では、上記のパラメータとして、リクエストトゥーセンドスレッショルドを変化させる、ＲＴＳ／ＣＴＳランダムアクセス方法を採用している。これにより、隠れ端末の問題を解消させることができる。
（実施例３）
実例例３では、上記のパラメータとして、フラグメンテーションスレッショルド及びリクエストトゥーセンドスレッショルドを変化させる、フラグメント分割送信方法及びＲＴＳ／ＣＴＳランダムアクセス方法の両方を採用している。これにより、パケット誤りの発生確率及び隠れ端末の問題の両方を低減させることができる。
【図面の簡単な説明】
【００１０】
【図１】本発明の第１の実施形態に係る無線送受信システムにおけるデータ授受の説明図。
【図２】本発明の第２の実施形態に係る無線送受信システムにおけるデータ授受の説明図。
【図３】本発明の第３の実施形態に係る無線送受信システムにおけるデータ授受の説明図。
【図４】据え付け型電子機器の設置態様を示す図。
【符号の説明】
【００１１】
１００  据え付け型電子機器
２００  端末装置（移動端末）
【図１】
2006020056.tif 000003
【図２】
2006020056.tif 000004
【図３】
2006020056.tif 000005
【図４】
2006020056.tif 000006